(57)【要約】【課題】ガイド軸をシャーシに固定する構造を簡略化することにより低コストで且つ高精度の光ピックアップ支持装置を提供する。【解決手段】光ピックアップ支持装置１０は、枠形状のシャーシ１２と、シャーシ１２に両端が固定された第１ガイド軸１４および第２ガイド軸１６と、両ガイド軸により移動可能な状態で支持された光ピックアップ装置３０と、モータ支持部材３６を介してシャーシ１２に固定されたスピンドルモータ３４とを備えている。更に、第１ガイド軸１４がシャーシ１２に固定される第１固定領域２２では、シャーシ１２を突起させた固定部７８と、モータ支持部材３６の一部である位置規制部５２により、第１ガイド軸１４の位置が高精度で固定される。【選択図】図４
2011222100.tif 000002
【特許請求の範囲】
【請求項１】
シャーシと、
光記録媒体にレーザー光を放射し、前記光記録媒体で反射した前記レーザー光を検出する光ピックアップ装置と、
前記光ピックアップ装置に設けられたガイド孔に挿通されると共に、両端付近が前記シャーシに固定された第１ガイド軸と、
前記光ピックアップ装置に設けられたガイド溝に挿通されると共に、両端付近が前記シャーシに固定された第２ガイド軸と、
前記光記録媒体を回転させるスピンドルモータを回転可能な状態で前記シャーシに固定するモータ支持部材と、
を備え、
前記第１ガイド軸の一端付近は、前記シャーシと一体的に連続した固定部により、前記モータ支持部材に設けた位置規制部に押圧固定されることを特徴とする光ピックアップ支持装置。
【請求項２】
前記シャーシの前記固定部には、前記第１ガイド軸を第１方向に押圧する第１固定部と、前記第１方向に対して直行する第２方向に前記第１ガイド軸を押圧する第２固定部とが含まれ、
前記モータ支持部材の前記位置規制部には、前記第１方向に対向する第３方向に対して前記第１ガイド軸の移動を規制する第１位置規制部と、前記第２方向に対向する第４方向に対して前記第１ガイド軸の移動を規制する第２位置規制部とが含まれる、ことを特徴とする請求項１に記載の光ピックアップ支持装置。
【請求項３】
前記第１ガイド軸は、前記第１固定部の弾性変形により生じる反発力により、前記モータ支持部材の前記第１位置規制部に押し付けられることを特徴とする請求項２に記載の光ピックアップ支持装置。
【請求項４】
前記第１ガイド軸は、前記第２固定部が塑性変形することにより生じる反発力により、前記モータ支持部材の前記第２位置規制部に押し付けられることを特徴とする請求項２または請求項３に記載の光ピックアップ支持装置。
【請求項５】
前記固定部を含む前記シャーシは、射出成形された樹脂材料から成ることを特徴とする請求項１から請求項４の何れかに記載の光ピックアップ支持装置。
【請求項６】
前記モータ支持部材の前記位置規制部に、前記第１ガイド軸が当接することにより、前記スピンドルモータと前記第１ガイド軸との相対的な位置を規定することを特徴とする請求項１から請求項５の何れかに記載の光ピックアップ支持装置。
【請求項７】
請求項１から請求項６の何れかに記載された光ピックアップ支持装置を備えたことを特徴とする光ディスク装置。
【発明の詳細な説明】
【技術分野】
【０００１】
本発明は、光ディスクの読み出し動作や記録動作を行う光ピックアップ装置を所定方向に移動させる光ピックアップ支持装置およびそれを備えた光ディスク装置に関する。
【背景技術】
【０００２】
光ピックアップ装置から照射されるレーザー光を光ディスクの信号記録層に照射することによって、信号の読み出し動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を更に向上させたＢｌｕ−ｒａｙ規格と呼ばれる光ディスクを使用するものが開発されている。
【０００４】
光ディスク装置に組み込まれる光ピックアップ装置は、光ディスクの径方向へピックアップ送り用モータの回転駆動力によって移動されるように構成されている。そして、斯かる光ピックアップ装置は、光ディスクに記録されている信号を正確に読み出す必要があるため、光ディスクの径方向への移動動作を精度良く行う必要があり、一般には固定基板に固定されている一対のガイドシャフトによって移動動作がガイドされるように構成されている（特許文献１）。
【０００５】
更にまた、上記したガイドシャフトは、金属板から成る枠状のシャーシによりその位置が保持されている（特許文献２）。具体的には、特許文献２の図１を参照して、２本のガイドシャフトの両端部付近は、ねじ機構等の締結手段により所定位置に調整されてシャーシ１１に固定されている。ネジによる微調整が施された状態で、ガイドシャフトがシャーシに取り付けられることにより、光ピックアップ装置の読み取り動作および記録動作を精度良く行うことが可能となる。
【先行技術文献】
【特許文献】
【０００６】
【特許文献１】特開平１１−６６７６７号公報
【特許文献２】特開２００３−２０８７６７号公報
【発明の概要】
【発明が解決しようとする課題】
【０００７】
上記した光ディスク装置は、前述したようにＣＤ規格、ＤＶＤ規格及びＢｌｕ−ｒａｙ規格等の各種の光ディスクを使用するものがある。そして、斯かる光ディスク装置としては据え置き型やコンピュータ装置に組み込まれるもの等種々なタイプがある。
【０００８】
パーソナルコンピュータの中でも、特にノート型と呼ばれるコンピュータは、薄型化が行われており、斯かるコンピュータに組み込まれる光ディスク装置も薄型化が行われている。光ディスク装置の薄型化が行われると、その内部に組み込まれる光ピックアップ装置も薄型化が要求されることになる。
【０００９】
そして、最近では高密度記録動作を行うことが出来るＢｌｕ−ｒａｙ規格の光ディスク装置が普及しつつあるが、斯かる光ディスク装置に組み込まれる光ピックアップ装置は、それ自体の精度が要求されるだけでなく、径方向への変位動作を行う駆動機構の移動精度が要求されている。
【００１０】
この移動機構の位置精度を確保する１つの方法として、金属板から成るシャーシに対して、ガイド軸を板バネで強く押し付けて固定する機構が従来から採用されている。しかしながら、この機構であると、ピックアップを移動させるモータから発生する振動が、シャーシおよびガイド軸を経由して光ピックアップ装置に伝達される。このことから、振動により光ピックアップ装置が誤動作してしまう恐れがある。
【００１１】
更に、このような構造は、シャーシの他にも、ガイド軸をシャーシに固定するための板バネやねじ機構が必要とされるので、これらの部品を使用することが部品点数の増加や製造工程での工数の増加を招いていた。
【００１２】
更にまた、厚みが１ｍｍ程度の金属板から光ディスク装置のシャーシを形成すると、光ディスク装置自体の重量化を招く恐れがある。
【００１３】
本発明はこの様な問題点を鑑みて成されたものであり、本発明の目的は、ガイド軸をシャーシに固定する構造を簡略化することにより、低コストで且つ精度の高い光ピックアップ支持装置およびそれを備えた光ディスク装置を提供することにある。
【課題を解決するための手段】
【００１４】
本発明の光ピックアップ支持装置は、シャーシと、光記録媒体にレーザー光を放射し、前記光記録媒体で反射した前記レーザー光を検出する光ピックアップ装置と、前記光ピックアップ装置に設けられたガイド孔に挿通されると共に、両端付近が前記シャーシに固定された第１ガイド軸と、前記光ピックアップ装置に設けられたガイド溝に挿通されると共に、両端付近が前記シャーシに固定された第２ガイド軸と、前記光記録媒体を回転させるスピンドルモータを回転可能な状態で前記シャーシに固定するモータ支持部材と、を備え、前記第１ガイド軸の一端付近は、前記シャーシと一体的に連続した固定部により、前記モータ支持部材に設けた位置規制部に押圧固定されることを特徴とする。
【発明の効果】
【００１５】
本発明の光ピックアップ支持装置では、光ピックアップ装置を移動可能に支持する第１ガイド軸の端部付近を、シャーシと一体的に連続した固定部で、モータを支持するモータ支持部材の位置規制部に押圧固定している。このようにすることで、シャーシの一部がガイド軸を固定するための部品の役割を有し、ガイド軸を固定するための上記板バネやねじ機構が不要となる。従って、部品点数および工数が削減される分、低コストが実現される。
【００１６】
更に、本発明では、射出成形された樹脂材料によりシャーシおよび上記固定部が一体的に形成されている。このことから、金属材料よりも柔軟性に優れた樹脂材料から成る固定部により、ガイド軸がモータ支持部材の位置規制部にソフトに押圧される。従って、モータの回転による振動がこの固定部により吸収され、光ピックアップ装置への振動の伝達が抑制されるので、光ピックアップ装置の動作が安定化される。
【００１７】
更に、光ピックアップ支持装置の主要部品であるシャーシを軽量な樹脂材料で形成することにより、金属板からシャーシを形成していた従来例と比較すると、光ピックアップ支持装置全体が軽量化される。
【００１８】
更にまた、第１ガイド軸の位置は、モータと連結されたモータ支持部材に設けた位置規制部により決定されるので、第１ガイド軸とモータとの位置精度が極めて高く成る。
【図面の簡単な説明】
【００１９】
【図１】本発明の光ピックアップ支持装置を示す図であり、（Ａ）は光ピックアップ装置の対物レンズが露出する面を上方に向けて載置した状態を示す斜視図であり、（Ｂ）は（Ａ）の状態を表裏逆転した光ピックアップ支持装置を示す斜視図である。
【図２】本発明の光ピックアップ支持装置を部分的に抜き出して示す斜視図である。
【図３】本発明の光ピックアップ支持装置に組み込まれるモータユニットを示す図であり、（Ａ）は斜視図であり、（Ｂ）は断面図である。
【図４】本発明の光ピックアップ支持装置の要所を示す図であり、（Ａ）はシャーシの第１固定領域を示す斜視図であり、（Ｂ）は光ピックアップ装置等の各部品が組み込まれた状態のシャーシを示す斜視図であり、（Ｃ）から（Ｅ）は第１固定領域を示す断面図である。
【発明を実施するための形態】
【００２０】
図１を参照して、本形態の光ピックアップ支持装置１０の構成を説明する。図１（Ａ）は光ピックアップ装置３０の対物レンズ３２が上方を向く状態で載置された光ピックアップ支持装置１０を示す斜視図であり、図１（Ｂ）は図１（Ａ）の状態を表裏逆転させた光ピックアップ支持装置１０を示す斜視図である。
【００２１】
図１（Ａ）を参照して、光ピックアップ支持装置１０は、枠形状あるいは額縁形状のシャーシ１２と、シャーシ１２に両端が固定された第１ガイド軸１４および第２ガイド軸１６と、両ガイド軸により移動可能な状態で支持された光ピックアップ装置３０と、モータ支持部材３６を介してシャーシ１２に固定されたスピンドルモータ３４とを備えている。
【００２２】
光ピックアップ支持装置１０は、スピンドルモータ３４により回転される光ディスク（光記録媒体）に対して、光ピックアップ装置３０の対物レンズ３２からレーザー光を照射する。そして、光ディスクの情報記録層で反射したレーザー光を、光ピックアップ装置３０に内蔵されたＰＤＩＣで読み取る。ここで、光ピックアップ装置から放射されるレーザー光としては、ＢＤ（Blu-ray Disc）、ＤＶＤ（Digital Versatile Disk）またはＣＤ（Compact Disk）規格のレーザー光が採用される。同様に、スピンドルモータ３４により回転される光ディスクの規格としても、これらのいずれかが採用される。
【００２３】
このような構成の光ピックアップ支持装置１０が所定形状の筐体に収納されることで、光ディスク装置が構成される。
【００２４】
シャーシ１２は、樹脂材料を射出成形して枠体形状に成形され、光ピックアップ支持装置１０の各構成要素を一体的に支持する機能を有する。シャーシ１２を構成する樹脂材料としては、ポリカーボネート、変性ＰＰＥ、ＡＢＳ樹脂が採用される。また、ガラス繊維が充填された樹脂材料がシャーシ１２の材料として採用されても良い。尚、シャーシ１２の４隅には、ネジ等の締結手段により光ディスク装置の筐体にシャーシ１２を取り付けるための切り欠き部が設けられている。
【００２５】
第１ガイド軸１４および第２ガイド軸１６は、光ピックアップ装置３０を光ディスクの半径方向に対して移動可能に支持するための部材である。従って、第１ガイド軸１４および第２ガイド軸１６は、光ディスクの径方向に対して平面視で並行に配置されると共に、光ディスクの情報記録面に対しても並行に配置される。尚、第１ガイド軸１４および第２ガイド軸１６は、棒状のステンレス等の金属材料から成る。ここで、第１ガイド軸１４は主ガイド軸と称され、第２ガイド軸は副ガイド軸と称される場合もある。更には、ガイド軸はシャフトと称される場合がある。
【００２６】
第１ガイド軸１４の両端付近は、第１固定領域２２および第２固定領域２４にて、シャーシ１２に取り付けられる。また、第２ガイド軸１６の両端付近は、第３固定領域２６および第４固定領域２８にてシャーシ１２に取り付けられる。
【００２７】
図１（Ａ）を参照すると、第２固定領域２４、第３固定領域２６および第４固定領域２８ではネジ機構により各ガイド軸がシャーシ１２に固定されている一方、第１固定領域２２では異なる機構によりガイド軸がシャーシ１２に固定されている。第１固定領域２２では、シャーシ１２の一部を厚み方向に突起させて固定部とし、この固定部が弾性変形または塑性変形することにより生じる反発力を用いて、第１ガイド軸１４の端部の位置を固定している。本形態の要旨であるこの事項は図４を参照して後述する。
【００２８】
スピンドルモータ３４は、チャッキング機構により保持された光ディスクを所定速度で回転させる機能を有する。スピンドルモータ３４は、金属板を所定形状に成形したモータ支持部材３６を介してシャーシ１２に固定されている。尚、スピンドルモータ３４は、回転軸を中心に回転自在な状態でモータ支持部材３６に固定されている。
【００２９】
光ピックアップ装置３０は、樹脂を所定形状に成形したハウジングの内部に、発光チップ、受光チップその他の光学素子が収納されている。光ピックアップ装置３０のハウジングの両端付近が、第１ガイド軸１４および第２ガイド軸１６により、光ディスクの径方向に対して移動可能な状態で保持されている。この保持する機構の詳細については、図２を参照して後述する。
【００３０】
図１（Ｂ）を参照して、第１ガイド軸１４、第２ガイド軸１６およびリードスクリュー３８は互いに平行に配置されている。リードスクリュー３８の外面には、螺旋状にガイド溝が形成されており、その一端はスレッドモータ４０に接続されている。一方、光ピックアップ装置３０のハウジングに固着された係合部４２の先端部分は、リードスクリュー３８の溝に係合するように付勢されている。従って、トラッキング信号がスレッドモータ４０に印加されると、リードスクリュー３８が所定角度回転される。そして、リードスクリュー３８のガイド溝に係合する係合部４２に対しては、リードスクリュー３８の軸方向に沿って移動する力が作用する。このことにより、係合部４２に固定された光ピックアップ装置３０が、第１ガイド軸１４および第２ガイド軸１６により支持された状態で、所定量移動する。
【００３１】
図２を参照して、光ピックアップ装置３０は、ハウジング４６と、ハウジング４６の上面に固着されて対物レンズ３２を支持するアクチュエータ４８と、光ピックアップ装置３０の入出力端子であるコネクタ４４と、ハウジング４６の左右両端に設けられたガイド孔１８およびガイド溝２０とを備えている。
【００３２】
ガイド孔１８は、ハウジング４６と一体的に樹脂材料を射出成形して設けられた孔部であり、第１ガイド軸１４が挿通されている。ガイド孔１８は、光ディスクの径方向への移動を許容しつつ支持するのみではなく、この径方向に直行する方向への移動を規制する機能も有している。従って、第１ガイド孔１８の内径は、第１ガイド軸１４に沿う方向への移動を許容すると共に、ガタつきが抑制される程度の長さとされる。
【００３３】
尚、ハウジング４６に収納された各種光学素子は、コネクタ４４および不図示のフレキシブル配線基板を経由して、光ディスク装置の筐体に内蔵された主回路基板と接続される。
【００３４】
ガイド溝２０は、ハウジング４６のガイド孔１８に対向する端部に設けられており、外側に向かって開口するＵ字形状またはコの字形状を呈している。第２ガイド軸１６は、ガイド溝２０の内部に係合あるいは挿通されている。
【００３５】
図３を参照して、モータユニット５０の構成を説明する。図３（Ａ）はモータユニット５０を示す斜視図であり、図３（Ｂ）はその断面図である。
【００３６】
図３（Ａ）を参照して、モータユニット５０は、金属板を所定形状に成形したモータ支持部材３６と、このモータ支持部材３６に回転可能な状態で固定されたスピンドルモータ３４と、第１ガイド軸１４の位置を規制する位置規制部５２とを備えている。更に、モータ支持部材３６の上面には、スピンドルモータ３４を駆動する電流が通過する配線が設けられたモータ基板５６と、このモータ基板５６の配線と接続されたフレキシブル配線基板５４が配置されている。また、モータ支持部材３６には、シャーシに対して固定するための孔部が複数箇所設けられている。
【００３７】
図３（Ｂ）を参照して、スピンドルモータ３４の構成を説明する。回転軸支持部材７０は、モータ支持部材３６を部分的に窪ませた凹状部分に固定されており、複数個の駆動コイル６８が固定されている。軸受７２は、回転軸支持部材７０に固着されており、スピンドルモータ３４の回転軸５８を回転可能な状態で支持している。ここで、モータ支持部材３６に設けた孔部に回転軸支持部材７０が配置されても良い。
【００３８】
ロータ６４は、回転軸５８に嵌合固定されており、回転軸５８と一体的に回転する。また、ロータ６４の内面にはリング状のマグネット６６が接着固定されている。ターンテーブル６２は、光ディスクの主面が当接される面であり、ロータ６４と共に回転する。センタリング部材６０はチャッキング機能を備え、光ディスクの中央部に設けられた孔部をセンタリング部材６０に嵌合することにより、光ディスクの主面方向での位置が所定位置とされる。
【００３９】
このような構成のスピンドルモータ３４において、前記モータ基板５６等に組み込まれているモータ駆動回路から駆動コイル６８に駆動信号が供給されると、駆動コイル６８から誘起される磁力とマグネット６６から発生する磁力とによってロータ６４に対する回転力が生成される。このことにより、ロータ６４は回転軸５８を中心として回転する。
【００４０】
ロータ６４に発生する回転駆動力によって回転軸５８が回転すると、回転軸５８に嵌合固定されているターンテーブル６２が回転するので、ターンテーブル６２に載置されている光ディスクを回転させることが出来る。そして、前記駆動コイル６８に供給される駆動信号の大きさや駆動パルスの間隔等を制御することによって、光ディスクの回転速度を所望の回転速度になるように制御することが出来る。
【００４１】
図３（Ａ）を参照して、位置規制部５２は金属板から成るモータ支持部材３６の端部を直角に折り曲げた部位であり、第１ガイド軸１４が挿通可能な貫通部が設けられている。図３（Ｂ）を参照して、位置規制部５２の内辺は、紙面上にて左側の辺である第１位置規制部７４と、上側の辺である第２位置規制部７６を含む。そして、位置規制部５２に挿通された第１ガイド軸は、第１位置規制部７４および第２位置規制部７６に押圧されることにより、その位置が規定される。
【００４２】
このような構成によれば、ターンテーブル６２の位置は、モータ支持部材３６に形成されている凹状部分に固定されている回転軸支持部材７０に固着されている軸受７２によって決定される。一方、光ピックアップ装置の位置決めを行う第１ガイド軸１４は、モータ支持部材３６の一部である位置規制部５２によって位置が規制されている。従って、一枚の連続した金属板であるモータ支持部材３６により、スピンドルモータ３４と第１ガイド軸１４の位置が規定されるので、紙面上での上下方向および左右方向に於ける両者の相対的な位置精度が極めて高くなる。ひいては、第１ガイド軸１４によって移動位置を規制される光ピックアップ装置と、回転軸５８によって回転駆動されるターンテーブル６２に載置される光ディスクとの関係が、最良の状態になる。
【００４３】
図４を参照して、第１固定領域２２にて第１ガイド軸１４をシャーシ１２に固定する構造を説明する。図４（Ａ）は第１固定領域２２でのシャーシ１２の構造を示す斜視図であり、図４（Ｂ）は第１固定領域２２で第１ガイド軸１４がシャーシ１２に固定される構造を示す斜視図であり、図４（Ｃ）は図４（Ｂ）のＣが付された線での断面図であり、図４（Ｄ）は図４（Ｂ）のＤが付された線での断面図であり、図４（Ｅ）は図４（Ｂ）のＥが付された線での断面図である。
【００４４】
図４（Ａ）を参照して、ガイド軸が固定される第１固定領域２２に対応するシャーシ１２には、シャーシ１２と一体的に形成された固定部７８が設けられている。上記したようにシャーシ１２はポリカーボネート樹脂等の樹脂材料を射出成形することにより形成されるので、固定部７８は、シャーシ１２の表面から一体的に突起する突起部として形成される。
【００４５】
具体的には、固定部７８は、第１固定部８０、ガイド部８４、第２固定部８２および当接部８６から構成されている。第１固定部８０および第２固定部８２は、これら自身が変形することで発生する反発力により、第１ガイド軸１４をモータ支持部材３６の位置規制部５２に押圧固定する。
【００４６】
ガイド部８４は、アルファベットの「Ｌ」を上下反転させた形状を呈し、第１固定部８０に隣接されている。ガイド部８４は、製造工程時にて第１ガイド軸１４の挿通を容易にする機能を有する。また、第１ガイド軸１４の挿通をスムーズにするために、図４（Ｅ）に示すように、装置内部に面するガイド部８４の下端部は面取り加工されている。この面取り加工により、ガイド部８４の断面がアルファベットの「Ｃ」を呈する状態にしても良い。この事項は第１固定部８０に関しても同様である。また、ガイド部８４と第１固定部８０とで、全体として四角形の枠形状を呈している。
【００４７】
第２固定部は、第１ガイド軸１４が挿通される部分のシャーシ１２の主面を突起させた部位であり、ガイド部８４と当接部８６とで挟まれる領域に配置されている。第２固定部８２は、下方から第１ガイド軸１４に対して押圧力を与える。
【００４８】
当接部８６は、第１ガイド軸１４の先端部が当接して位置決めされる部位であり、当接部８６により第１ガイド軸１４が軸方向に位置決めされる。
【００４９】
図４（Ｂ）は、シャーシ１２に、光ピックアップ装置３０、第１ガイド軸１４およびモータユニット５０を取り付けた状態を示す斜視図である。
【００５０】
これらをシャーシ１２に取り付ける方法は次のとおりである。
【００５１】
先ず、モータ支持部材３６に設けられた孔部に挿通されるネジを介して、モータユニット５０をシャーシ１２に固着する。このことにより、金属板であるモータ支持部材３６の一部から成る位置規制部５２と、射出成形された樹脂材料から成るシャーシ１２の固定部７８とが、第１固定領域２２にて、第１ガイド軸１４の軸方向に重畳される。
【００５２】
次に、光ピックアップ装置３０のガイド孔１８に第１ガイド軸１４を挿通した後に、第１ガイド軸１４の端部を、固定部７８および位置規制部５２に挿入する。この挿入により、第１ガイド軸１４の先端部がシャーシ１２の当接部８６に接触し、第１固定領域２２に第１ガイド軸１４の端部が固定される。
【００５３】
次に、図１（Ｂ）を参照して、他の固定領域にてガイド軸の端部をシャーシ１２に固定する。具体的には、第１ガイド軸１４の他の端部を第２固定領域２４にてシャーシに固定する。そして、第２ガイド軸の両端を第３固定領域２６および第４固定領域２８にてシャーシ１２に固定する。
【００５４】
この図に示されているように、第２固定領域２４〜第４固定領域２８にてガイド軸が固定される機構は、第１固定領域２２にてガイド軸が固定される機構とは異なる。上記した第１固定領域２２では、シャーシ１２の突起部による反発力により第１ガイド軸１４が所定位置に固定されていたが、第２固定領域２４〜第４固定領域２８では、ネジ等の締結手段により各ガイド軸がシャーシ１２に固定されている。更に、第２固定領域２４〜第４固定領域２８では、第１ガイド軸１４と第２ガイド軸１６から構成される光ピックアップ装置３０の走行面が、スピンドルモータ３４により回転される光ディスクの主面と平行となるように、ネジを回転させて各ガイド軸の位置調整が行われる。この調整を行う際に、既に第１ガイド軸１４が固定されている第１固定領域２２が基準点と成る。
【００５５】
以上の工程を経て、第１ガイド軸１４および第２ガイド軸１６はシャーシ１２の所定位置に固定される。
【００５６】
図４（Ｃ）〜図４（Ｅ）を参照して、第１固定領域２２で第１ガイド軸１４の端部が所定の位置に固定される構造を説明する。ここで、上記したように、第１ガイド軸１４の端部をシャーシ１２の固定部７８およびモータ支持部材３６の位置規制部５２に挿通することで、固定部７８の反発力により第１ガイド軸１４が位置規制部５２に押圧固定されている。
【００５７】
図４（Ｃ）を参照すると、シャーシ１２の第１固定部８０は紙面上にて右側に弾性変形の範囲内で湾曲している。このことにより、紙面上にて第１ガイド軸１４を左側に移動させる反発力が発生し、図４（Ｄ）に示すように第１ガイド軸１４が位置規制部５２の第１位置規制部７４に押圧される。第１位置規制部７４を含む位置規制部５２は金属板から成るので、固定部７８による反発力により第１ガイド軸１４が押圧されても変形しない。従って、第１ガイド軸１４が第１位置規制部７４に押圧固定されることにより、第１ガイド軸１４の紙面横方向の位置が正確に規定される。
【００５８】
また、第１ガイド軸１４の下面は図４（Ｃ）に示されているように、シャーシ１２の上面を突起させた第２固定部８２に接触している。そして、第１ガイド軸１４の下面により押圧されることにより、第２固定部８２の頂部が部分的に塑性変形して潰れている。このことにより第１ガイド軸１４を上方に押し上げる反発力が発生する。この反発力により第１ガイド軸１４は、図４（Ｄ）および図４（Ｅ）に示す第２位置規制部７６に押し付けられる。厚い金属板から成る第２位置規制部７６に対して、第１ガイド軸１４の上端部が押圧固定されることにより、紙面上の上下方向に於ける第１ガイド軸１４の位置が正確に規定される。
【００５９】
上記したように、本形態では、可撓性に優れる樹脂材料から成る固定部７８の弾性変形または塑性変形により生じた反発力で第１ガイド軸１４の位置を固定している。従って、図４（Ｂ）を参照して、スピンドルモータ３４が回転することにより振動が発生しても、この振動は固定部７８が撓むことにより吸収され、第１ガイド軸１４や光ピックアップ装置３０への振動の伝導が抑制される。従って、スピンドルモータ３４の回転により発生する振動により光ピックアップ装置３０が誤動作することが抑制される。更にまた、同様の理由により、スピンドルモータ３４が振動することにより発生する騒音が低減される。
【００６０】
更に、本形態では、金属板から成る位置規制部５２により第１ガイド軸１４の端部の位置を規定している。樹脂材料から成るシャーシ１２と比較すると金属板から成る位置規制部５２は、機械的強度が高く更に熱膨張係数も小さい。従って、第１ガイド軸１４の位置はより正確に規定される。
【００６１】
更に、第１ガイド軸１４の位置を規定する位置規制部５２は、モータ支持部材３６の一部であり、このモータ支持部材３６にはスピンドルモータ３４が固定されている。従って、一枚の金属板で、スピンドルモータ３４と第１ガイド軸１４の位置が正確に規定される。このことから、スピンドルモータ３４により回転される光ディスクと、第１ガイド軸１４により位置が決定される光ピックアップ装置との相対的な位置精度が向上される。
【００６２】
更にまた、固定部７８はシャーシ１２の一部であり、位置規制部５２はモータ支持部材３６の一部であるので、専用の部品を使用せずに第１ガイド軸１４の位置を高精度に規定することが可能になる。
【符号の説明】
【００６３】
１０   光ピックアップ支持装置
１２   シャーシ
１４   第１ガイド軸
１６   第２ガイド軸
１８   ガイド孔
２０   ガイド溝
２２   第１固定領域
２４   第２固定領域
２６   第３固定領域
２８   第４固定領域
３０   光ピックアップ装置
３２   対物レンズ
３４   スピンドルモータ
３６   モータ支持部材
３８   リードスクリュー
４０   スレッドモータ
４２   係合部
４４   コネクタ
４６   ハウジング
４８   アクチュエータ
５０   モータユニット
５２   位置規制部
５４   フレキシブルシート
５６   モータ基板
５８   回転軸
６０   センタリング部材
６２   ターンテーブル
６４   ロータ
６６   マグネット
６８   駆動コイル
７０   回転軸支持部材
７２   軸受
７４   第１位置規制部
７６   第２位置規制部
７８   固定部
８０   第１固定部
８２   第２固定部
８４   ガイド部
８６   当接部
【図１】
2011222100.tif 000003
【図２】
2011222100.tif 000004
【図３】
2011222100.tif 000005
【図４】
2011222100.tif 000006